(57)【要約】【課題】多画面、多チューナの多画面表示システムで、複数の人が１つの多画面表示システムに複数の画面を表示し視聴する場合に、視聴中の画面のチャンネルや音声の変更を防止すること。【解決手段】放送受信部（２００）が出力する１つの映像信号の画像を１つの画面（１０２）とし、リモコン（３０００）は、おのおの画面のチャンネルや音声切換の変更を禁止するリモコン信号を発信し、前記リモコン信号を受信することにより、前記映像表示装置に表示された画面のうち、前記リモコン信号で指定された画面（１０２）の切り替えを禁止するとともに、前記切り替えを禁止された画面（１０２）を、前記リモコン信号を発信したリモコン（３０００）と対応する色で枠取りすることにより、視聴中の画面のチャンネルや音声の切換が変更されることを防止し、どのリモコンで切り替えを禁止したか判別できる。【選択図】図１
2010118813.tif 000002
【特許請求の範囲】
【請求項１】
多画面を表示可能な映像表示装置と複数のリモコンからなる多画面表示システムであって、
前記複数のリモコンは、それぞれ、前記映像表示装置に表示された画面のうち、１つの画面の切り替えを禁止するリモコン信号を発信し、前記映像表示装置は、前記リモコン信号を受信することにより、前記映像表示装置に表示された画面のうち、前記リモコン信号で指定された画面の切り替えを禁止するとともに、前記切り替えを禁止された画面を、前記リモコン信号を発信したリモコンと対応する色で枠取りすることを特徴とする多画面表示システム。
【請求項２】
前記リモコン信号で切り替えを禁止にしたリモコンと画面の情報を記憶する記憶部を備えたことを特徴とする請求項１に記載の多画面表示システム。
【請求項３】
前記映像表示装置に表示されるそれぞれの画面は、前記それぞれの画面毎に、切り替えを禁止するリモコン信号を発信したリモコン数をカウントするとともに、カウントしたリモコン数に基づき画面の大きさを変更することを特徴とする請求項１、請求項２のいずれかに記載の多画面表示システム。
【請求項４】
複数のリモコン受光部を備え、前記映像表示装置に表示されるそれぞれの画面は、前記リモコン受光部に、最も早くリモコン信号を受光したリモコン受光部の近くに画面を開くことを特徴とする請求項１、請求項２、請求項３のいずれかに記載の多画面表示システム。
【請求項５】
スピーカに出力中の音声に対応した画面の画面枠と同じ色を表示するＬＥＤを備えることを特徴とする請求項１、請求項２、請求項３、請求項４のいずれかに記載の多画面表示システム。
【請求項６】
音声データを送信する通信部と、操作端末に音声データを受信する通信部と、音声出力するスピーカもしくは、イヤフォンジャックと、操作端末の通信部に受信した音声データに対応する多画面表示システムの表示部の画面の画面枠と同じ色を表示するＬＥＤを備え、多画面表示システムのスピーカが出力中の音声に対応した画面の画面枠と同じ色を表示するＬＥＤの表示に対応する画面が操作ロックされていることを検出するＣＰＵを具備することを特徴とする請求項１、請求項２、請求項３、請求項４、請求項５のいずれかに記載の多画面表示システム。
【請求項７】
映像データを送信する通信部と、操作端末に映像データを受信する通信部と、映像データを表示部に合わせて画像をリサイズする表示合成部と、映像を表示する表示部とを備え、多画面表示システムの表示部に画面を表示するエリアを確保できないことを検出するＣＰＵを具備することを特徴とする請求項６に記載の多画面表示システム。
【請求項８】
操作端末に音声出力ＬＥＤを備えたことを特徴とする請求項６、請求項７のいずれかに記載の多画面表示システム。
【請求項９】
操作端末に操作ロックＬＥＤを備えたことを特徴とする請求項６、請求項７、請求項８のいずれかに記載の多画面表示システム。
【発明の詳細な説明】
【技術分野】
【０００１】
本発明は、複数の映像を同時に表示可能な多画面表示システムに関するものである。
【背景技術】
【０００２】
従来の多画面表示システムは、複数のユーザが複数の映像を１つのディスプレイに画面分割して視聴する場合に、他のユーザの邪魔にならずに各々が見ている画面を操作できるように、画面ごとに操作するリモコンのコードを変えている（例えば、特許文献１参照）。
【０００３】
また、複数のディスプテイと複数の異なる表示データを生成するための複数の表示データ生成手段を設け、当該ディスプレイに表示すべき表示データを指示する複数の指示手段からなる構成において、当該表示データを生成する表示データ生成手段の動作停止を指示されたとき、表示データの表示を指示した指示手段と動作停止を指示した指示手段とが異なる場合、該当する表示データ生成手段の動作停止を行わないように構成し、ユーザが他のユーザによる表示中の表示データの変更を禁止する表示制御システムも、提案されている（例えば、特許文献２参照）。
【特許文献１】特開２００７−７４３８４号公報
【特許文献２】特開２００７−１２１７９９号公報
【発明の開示】
【発明が解決しようとする課題】
【０００４】
しかしながら、上述した特許文献１に記載された従来の構成では、前記リモコンの操作者が、前記リモコンを操作して、他のチャンネルに変更するリモコン信号を送信すると、その画面は、他チャンネルに切り替るので、前記リモコンの操作者以外の視聴者が、同じ画面を見ていて、同じチャンネルを見続けたい意向を持っていてもリモコンの操作者が、チャンネルを変更する操作を行うとリモコンの操作者以外の視聴者の意向に反して、画面を切り替えてしまうという課題を有していた。
【０００５】
また、上述した特許文献２に記載された従来の構成では、前記ディスプテイの操作者が、当該表示データの表示を指示した指示手段と、他のディスプテイの操作者の当該表示データの表示を指示した指示手段が、異なる場合は、当該表示データの表示を指示した指示手段は、変更されないが、当該ディスプレイに、複数の視聴者が存在し、当該表示データの表示を指示した指示手段を変更されたくない意向を持っている視聴者が存在しても、前記ディスプテイの操作者が、当該表示データの表示を指示した指示手段を変更すると当該表示データの表示を指示した指示手段は、変更されてしまうという課題を有していた。
【０００６】
本発明は、前記従来の課題を解決するもので、多画面、多チューナの多画面表示システムで、１つの多画面表示システムに複数の画面を表示し、複数の視聴者が視聴する場合に、視聴中の画面のチャンネルや音声が、複数の視聴者の意向に反して変更されない多画面表示システムを提供することを目的とする。
【課題を解決するための手段】
【０００７】
前記従来の課題を解決するために、本発明の多画面表示システムは、前記映像表示装置に表示された画面のうち、１つの画面の切り替えを禁止するリモコン信号を発信する複数のリモコンと、前記リモコン信号を受信することにより、前記映像表示装置に表示された画面のうち、前記リモコン信号で指定された画面の切り替えを禁止する映像表示装置を有し、視聴中の画面で、切り替えを実施したくない画面については、前記リモコンで、前記切り替えを実施したくない画面に対し、画面の切り替えを禁止するリモコン信号を発信し、前記画面の切り替えを禁止する。
【０００８】
本構成によって、前記リモコン信号で画面の切り替え禁止を指定された画面は、前記複数のリモコンで、画面切り替えのリモコン信号を受信しても、画面の切り替えが防止されるものである。
【０００９】
また、本発明の多画面表示システムは、それぞれの画面毎に、切り替えを禁止するリモコン信号を発信したリモコン数をカウントするとともに、カウントしたリモコン数に基づき画面の大きさを変更するものである。
【発明の効果】
【００１０】
本発明の請求項１記載の多画面表示システムは、リモコン信号で画面の切り替え禁止を指定された画面は、リモコンで、画面切り替えのリモコン信号を受信しても、画面が切り替わらないので、視聴中の画面のチャンネルや音声が、複数の視聴者の意向に反して変更されることを防止することができる。
【００１１】
また、本発明の請求項２記載の多画面表示システムは、１つの多画面表示システムに複数の画面を表示し、それぞれの画面毎に、切り替えを禁止するリモコン信号を発信したリモコン数をカウントするとともに、カウントしたリモコン数に基づき画面の大きさを変更することで、視聴者の多い画面は、大きくすることができる。
【発明を実施するための最良の形態】
【００１２】
以下本発明を実施するための最良の形態について、図面を参照しながら説明する。
【００１３】
図１は本発明の実施の形態１における多画面表示システム、アンテナ、およびリモコンを示す構成図である。図１において、１０００は多画面表示システム、２０００はアンテナ、３０００、４０００はリモコンである。多画面表示システム１０００は家庭の居間に設置され、日常的には家族が集まって視聴する。アンテナ２０００は、屋外にあってテレビ放送の電波を受信する。リモコン３０００、４０００は、多画面表示システム１０００の操作をおこない、リモコン３０００、４０００は、それぞれ他のリモコンとは違う固有の色を持ち、リモコンが発するリモコン信号のフォーマットは、例えば、操作コマンド部８ビットの後に固有のリモコンの色を識別する４ビットで追加する。
【００１４】
多画面表示システム１０００において、選局部１、２、３は、アンテナ２０００からのＲＦ信号から視聴者の操作などにより希望の伝送チャンネルを選局する。ＯＦＤＭ復調部４、５、６は、“０”、“１”のデジタル信号を取り出す。誤り訂正７、８、９は、デジタル信号の誤り訂正をおこないトランスポートストリーム（ＴＳ）パケットにもどす。多重分離部１０、１１、１２は、ＴＳパケットを目的別に分離し、映像・音声のパケットはＭＰＥＧデコード部１３、１４、１５に送り、データ放送のパケットは、ＣＰＵ２０に送る。ＭＰＥＧデコード部１３、１４、１５は、多重分離されたＴＳから、映像信号と音声信号を復号する。画像重畳部１６は、ＭＰＥＧデコード部１３、１４、１５でＭＰＥＧデコードされた複数の映像信号の画像と、ＣＰＵ２０で処理された字幕やデータ放送の画像を重ね合わせ、画像の大きさを変更（拡大、縮小）し、表示部１００の表示領域を各画像に割り振ったり、異なる画像を同一の表示領域に重ねたりして画像を合成する。音声切換部１７は、ＭＰＥＧデコード部１３、１４、１５で生成される複数の音声信号のうちでスピーカ１８もしくは、イヤフォンジャック２２から音声出力させるものを選択する。ＣＰＵ２０は、多画面表示システム１０００の各部を制御および、データ放送のパケットを受けて、字幕やデータ放送の画像を作成する。操作ロック管理記憶２１は、どの画面が、どのリモコンで、チャンネルや音声切換（主音声／副音声、モノラル／ステレオの切換、ボリューム）の操作変更ができない状態（以下、操作ロック状態と記す）に設定されたかの情報を格納する。イヤフォンジャック２２は、音声をイヤフォン２３に出力させる。リモコン受光部１９は、リモコン３０００、４０００から、操作指示の信号を受光し、電気信号に変換してＣＰＵ２０に送る。
【００１５】
表示部１００において、画面１０２、１０３、１０４、１０５は、個々に選局したチャンネルの映像を表示し、各画面は、他の画面とは、違う固有の番号を持つ。画面枠（実線）１０６、１０８は、画面１０２をそれぞれ実線で枠取りし、画面枠（実線）１０７は、画面１０４を実線で枠取りして表示する。画面枠（点線）１０９は、画面１０３を点線で枠取りして表示する。ここで、画面枠（実線）１０６は、赤色の実線である。画面枠（実線）１０７は緑色の実線である。画面枠（実線）１０８は緑色の実線である。画面枠（点線）１０９は赤色の点線である。チャンネル表示１１０は、選局しているチャンネル番号を表示する。
【００１６】
リモコン３０００、４０００において、操作ロックボタン３００１、４００１は、選択した画面を、操作ロック状態にするボタンであり、トグルスイッチになっていて、操作ロック状態にした画面を、操作ロック状態にしたリモコンで、選択し、再度、操作ロックボタン３００１、４００１押すとその画面の操作ロック状態が解除され、その画面の操作変更が、可能になり、チャンネルや音声切換（主音声／副音声、モノラル／ステレオの切換、ボリューム）の変更が、可能になる。
【００１７】
図４は本発明の実施の形態１における操作ロック管理記憶の記憶フォーマットの図である。図４において、操作ロック管理記憶２１は、画面の番号に対し、操作ロック状態にしているリモコンの色を記憶する。図４では、リモコン３０００の固有の色は赤で、４０００の固有の色は緑で、画面１０２の固有番号は１０２で、画面１０３の固有番号は１０３で、画面１０４の固有番号は１０４で、画面１０５の固有番号は１０５である。画面１０２は、リモコン３０００とリモコン４０００が、操作ロック状態にし、画面１０４は、リモコン４０００が、操作ロック状態にしていることを記憶している。
【００１８】
図８は本発明の実施の形態１の１つの画面の１つのリモコンについての操作ロック状態にするフローである。
【００１９】
図９は本発明の実施の形態１の１つの画面の１つのリモコンについての操作ロック状態から解除するフローである。図９において、該当の画面が、他のリモコンから操作ロック状態にされている場合は、どのリモコンからも操作変更はできない。
【００２０】
リモコン３０００、４０００で、画面を開く操作を行うと、表示部１００に、画面１０２、１０３、１０４、１０５が表示され、そのリモコンごとに違う色の点線で囲む画面枠を表示する。リモコンごとに、他のリモコンとは違った固有の色の画面枠が、表示される。例えば、リモコン３０００で操作した場合は、緑の画面枠が表示され、リモコン４０００で操作した場合は、赤の画面枠が表示される。すでに表示されている画面について、個々の画面の操作ロック状態に変更する場合は、まず、リモコンでカーソルキーを上下、左右に動かして、その画面を選択すると、点線の画面枠が、表示され、その画面が選択されたことを示す。
【００２１】
チャンネルや音声切換（主音声／副音声、モノラル／ステレオの切換、ボリューム）の設定を変更したくないものについては、画面選択をした後に、操作ロックボタン３００１、４００１を押すことにより、選択した画面を操作ロック状態に変更され、その画面は、チャンネルや音声切換の変更ができなくなる。操作ロック状態になった画面は、点線で囲む画面枠が、そのリモコン固有の色の実線で囲む画面枠に変更される。また、操作ロックの状態は、操作ロック管理記憶２１にどの操作端末で、どの画面が、操作ロック状態にされたか記憶される。
【００２２】
操作ロック状態を、解除したい場合は、再度、操作ロック状態にしたリモコンで、その画面を選択する。その画面を選択すると、実線の画面枠は、ハイライト表示される。そこで、操作ロックボタンを、押すと、そのリモコンでのその画面の操作ロック状態が、解除され、そのリモコンの固有の色の画面枠は、実践から点線に変わり、操作ロック管理記憶のそのリモコンのその画面の操作ロック状態の記録が、消される。
【００２３】
複数のリモコンで、同じ画面を選択することもでき、同じ画面を操作ロック状態にすることもできる。また、１つのリモコンで、複数の画面を操作ロック状態にすることもできる。同時刻に、複数のリモコンで、同じ画面が、選択されている場合は、先に選択さたらリモコンの固有の色の画面枠の外側に、あとから、その画面を選択したリモコンの固有の色の画面枠が、その外側に表示される。その画面が、いずれのリモコンからも、操作ロック状態にされていなければ、どのリモコンからも、チャンネルや音声切換（主音声／副音声、モノラル／ステレオの切換、ボリューム）の変更が可能です。また、複数のリモコンで、同じ画面に対し、操作ロック状態にした場合は、先に操作ロック状態にしたリモコンの固有の色の実線の画面枠の外側に、後から操作ロック状態にした設定されたリモコンの固有の色の実線の画面枠が表示される。この場合、この画面については、全てのリモコンの操作ロック状態が、解除されなければ、チャンネルや音声切換（主音声／副音声、モノラル／ステレオの切換、ボリューム）の変更は、できなくなる。
【００２４】
ただし、操作ロックボタンを押したリモコンが、そのリモコンだけの場合は、操作ロックボタンを再度押して操作ロック状態を解除しなくても操作変更できるようにしてもよい。
【００２５】
リモコンで選択された画面の画面枠（点線）１０９は、点線で表示され、リモコンで操作ロック状態されている画面枠（実線）１０６、１０７、１０８は、実線で表示され、操作ロック状態で、なおかつ画面が操作ロック状態の画面枠は、実線のハイライト表示になる。リモコンで選択されている状態、操作ロック状態、操作ロック状態でなおかつリモコンで選択されている状態が、区別できれば、画面枠には限らない。
【００２６】
スピーカ１８に出力されている音声が、操作ロック状態に、設定されている場合は、
他の音声をスピーカ１８に切り替えることは、できないが、その場合は、リモコン３０００を操作し音声信号を音声切換１７からイヤフォンジャックに切り替えて、イヤフォンジャック２２に出力して、イヤフォン２３で、聞くことはできる。
【００２７】
図６は本発明の実施の形態１の切り替えを禁止するリモコン信号を発信したリモコン数に基づき画面の大きさを変更する表示部の図である。図１（実施の形態１）と同じ構成要素については同じ符号を用い、説明を省略する。図６において、画面１０２は、赤と緑の実線の画面枠で囲まれ、２つのリモコンで、切り替えを禁止するリモコン信号を受信している。また、画面１０４は、緑の実線の画面枠で囲まれ、１つのリモコンで、切り替えを禁止するリモコン信号を受信している。画面１０３、１０５は、いずれのリモコンからも、切り替えを禁止するリモコン信号を受信していない。それで、切り替えを禁止するリモコン信号を受信したリモコン数は、多い順に、画面の大きさを変えている。
【００２８】
それぞれの画面に対し、切り替えを禁止するリモコン信号が発信されると操作ロック管理記憶２１に、どの画面が、どのリモコンで、切り替えを禁止されているかの情報が格納される。各画面を切り替え禁止しているリモコンの数に応じて、画面の大きさを変更する。
【００２９】
リモコンの数が、多い画面ほど、大きな画面にする。
【００３０】
図７は本発明のリモコンの方向に画面を開く表示部の図である。図１（実施の形態１）と同じ構成要素については同じ符号を用い、説明を省略する。図７において、リモコン受光部１１６、１１７、１１８、１１９は、リモコン３０００から、操作指示の信号を受光し、電気信号に変換してＣＰＵ２０に送る。画面枠（点線）１２０は、画面１０２を点線で枠取りして表示する。リモコン受光部１１６、１１７、１１８、１１９で、最も早くリモコン信号を受光したリモコン受光部の近くに、画面枠（点線）１２０で囲んだ画面１０２を表示する。図７では、リモコン受光部１１６が、最も早くリモコン信号を受光したため、
画面枠（点線）１２０で囲んだ画面１０２は、リモコン受光部１１６近くに表示する。
【００３１】
音声出力においても、スピーカが複数ある場合は、最も早くリモコン信号を受光したリモコン受光部に、最も近いスピーカのみ、出力させてもよい。
【００３２】
かかる構成によれば、前記映像表示装置に表示された画面のうち、１つの画面の切り替えを禁止するリモコン信号を発信する複数のリモコンと、前記リモコン信号を受信することにより、前記映像表示装置に表示された画面のうち、前記リモコン信号で指定された画面の切り替えを禁止することとなり、視聴中の画面で、切り替えを実施したくない画面については、前記リモコンで、前記切り替えを実施したくない画面に対し、画面の切り替えを禁止するリモコン信号を発信し、前記画面の切り替えを禁止すれば、画面の切り替えを防止することができる。
【００３３】
リモコン固有の色で画面枠を表示し、操作ロック状態にした画面の画面枠は、実線で表示することにより、どのリモコンで、その画面が操作ロック状態にしているか確認できる。
【００３４】
また、リモコン受光部を４ヶ所に設けることにより、最も早くリモコン信号を受光したリモコン受光部の近くに画面を表示し、リモコン操作者の近くに、画面を表示することができる。
【００３５】
さらに、操作ロック管理記憶２１を設けることにより、各画面が、切り替えを禁止されたリモコン信号を受信したリモコン数を記憶し、リモコン数の多い画面ほど、大きい画面に変更することで、視聴者の多い画面ほど、大きい画面に自動的に変更できる。
（実施の形態２）
図２は本発明の実施の形態２における多画面表示システム、リモコン、および操作端末を示す構成図である。図２において、図１（実施の形態１）と同じ構成要素については同じ符号を用い、説明を省略する。
【００３６】
図２において、５０００、６０００は操作端末、７０００はリモコンである。操作端末５０００、６０００は、通常携帯電話の送受信やネットワークアクセス等をおこなうが、本発明では、多画面表示システム１０００の操作もおこない、操作端末５０００、６０００は、それぞれ他の操作端末とは違う固有の番号を持ち、操作端末が発する操作信号のフォーマットは、例えば、操作コマンド部８ビットの後に固有の操作端末の番号を識別する４ビットで追加する。
【００３７】
リモコン７０００は、多画面表示システム１０００の操作をおこなう。
【００３８】
多画面表示システム１０００において、通信部２４は、操作端末５０００、６０００と、多画面表示システム１０００の操作信号や映像信号、音声信号の送受信を行い、操作信号、映像信号、音声信号を、ＣＰＵ２０と入出力する。通信用アンテナ２５は、操作端末５０００、６０００と通信する電波の送信、検波を行う。リモコン受光部１９は、リモコン７０００から、操作指示の信号を受光し、電気信号に変換してＣＰＵ２０に送る。
【００３９】
表示部１００において、画面１０２、１０３、１０４、１０５は、個々に選局したチャンネルの映像を表示し、画面１０２、１０３、１０４、１０５は、それぞれ、他の画面とは違う固有の色の画面の枠取りする画面枠を表示する。
【００４０】
画面枠（実線）１１２、１１３は、画面１０２、１０３をそれぞれ実線で枠取りして表示する。画面枠（点線）１１４、１１５は、画面１０４、１０５を点線で枠取りして表示する。ここで、画面枠（実線）１１２は、赤色の実線である。画面枠（実線）１１３は緑色の実線である。画面枠（実線）１１４は緑色の実線である。画面枠（点線）１１５は赤色の点線である。
音声出力ＬＥＤ１１１は、現在スピーカ１８で出力している音声のチャンネルの画像を出力している画面の画面枠と同じ色のＬＥＤ表示をする。
【００４１】
操作端末５０００、６０００において、操作ロックＬＥＤ５００４、６００４は、操作ロックしている画面の画面枠と同じ色のＬＥＤを点灯する。操作ロック中の画面が複数ある場合は複数のＬＥＤが点灯する。音声出力ＬＥＤ５００２、６００２は、操作端末５０００、６０００のそれぞれの出力中の音声がどの画面のものかを示すもので、画面の画面枠と同じ色でＬＥＤを点灯する。イヤフォン５００３、６００３は、操作端末５０００、６０００の音声を出力する。操作端末にスピーカを設けて、音声出力してもよい。操作ロックボタン５００１、６００１は、選択した画面の操作を他の操作端末で、設定変更できないように設定するボタンであり、トグルスイッチになっていて、再度押すとその画面の操作ロックが解除される。
【００４２】
図３は本発明の実施の形態における操作端末の構成図である。図３において、表示部５００５は、表示合成部５０１１から、出力される映像信号の画像を表示する。通信用アンテナ５００６は、通信する電波を受信し、通信部５００７に送る。また、通信部５００７からの電波を多画面表示システム１０００に送信する。通信部５００７は、多画面表示システム１０００の通信部２５と送受信し通信する。ＣＰＵ５００８は、操作端末５０００の各部を制御し、多画面表示システム１０００から受信したデータから、映像データ、音声データを復号する。操作部５００９は、操作端末５０００の操作入力をする。操作ロックボタン５００１は、操作部５００９に含まれる。記憶部５０１０は、操作端末５０００の情報を記憶する。表示合成部５０１１は、ＣＰＵ５００８からの映像信号の画像を表示部５００５に表示可能なサイズに変更して表示部５００５に出力する。音声切換部５０１２は、音声信号の出力先を切り替え、スピーカ５０１３とイヤフォンジャック５０１４に音声を出力する。スピーカ５０１３は、音声切換部５０１２からの音声信号を出力する。イヤフォンジャック５０１４はイヤフォン５００３を接続し、音声を出力する。
【００４３】
図５は本発明の実施の形態２における操作ロック管理記憶の記憶フォーマットの図である。図５において、操作ロック管理記憶２１は、操作端末の番号に対し、操作ロック状態にしている画面の色を記憶する。図５では、画面１０２の固有の色は赤で、画面１０３の固有の色は緑で、操作端末５０００の固有番号は５０００で、操作端末６０００の固有番号は６０００である。操作端末５０００は、画面１０２と画面１０３を、操作ロック状態にし、操作端末６０００は、画面１０２を、操作ロック状態にしていることを記憶している。
【００４４】
図１０は本発明の実施の形態２の他の操作端末からも操作ロック状態にされていない１つの画面の１つの操作端末についての操作ロック状態にするフローである。
【００４５】
図１１は本発明の実施の形態２の他の操作端末からも操作ロック状態にされていない１つの画面の１つの操作端末についての操作ロック状態から解除するフローである。
【００４６】
図１２は本発明の実施の形態２の他の操作端末から操作ロック状態にされている１つの画面の１つの操作端末についての操作ロック状態にするフローである。
【００４７】
図１３は本発明の実施の形態２の他の操作端末から操作ロック状態にされている１つの画面の１つの操作端末についての操作ロック状態から解除するフローである。図１３において、該当の画面は他の操作端末から操作ロック状態にされているのでどの操作端末からも操作変更することはできない。
【００４８】
操作端末５０００、６０００で、画面を開く操作を行うと、表示部１００に、画面１０２、１０３、１０４、１０５が表示され、その画面ごとに違う色の線で囲む表示を画面枠として表示する。視聴中の画面で、チャンネルや音声切換（主音声／副音声、モノラル／ステレオの切換、ボリューム）を変更したくないものについては、操作ロックボタン５００１、６００１を押すことにより、その画面は、操作ロック状態になり、チャンネルや音声切換の変更ができなくなる。操作ロック状態は、操作ロック管理記憶２１にどの操作端末で、どの画面が、操作ロックされたか記憶し、再度その操作端末で、操作ロックボタンが、押されるまでは、操作端末では、その画面のチャンネルや音声切換（主音声／副音声、モノラル／ステレオの切換、ボリューム）の変更はできなくなる。ただし、操作ロックボタンを押した操作端末が、その端末だけの場合は、操作ロックボタンを再度押して操作ロック状態を解除しなくても操作変更できるようにしてもよい。
【００４９】
どの操作端末でも操作ロックされていない画面の画面枠が、選択された場合は、画面枠（点線）１１４、１１５のように、点線の画面枠で表示される。操作端末で操作ロック状態にされると、画面枠は、画面枠（実線）１１２、１１３のように、実線になる。すでに、操作ロック状態になっている画面を選択した場合は、画面枠（実線）がハイライト表示される。画面枠の線の種類は、操作ロック状態、画面の選択が、区別できれば、実線、点線、ハイライト表示に限らない。
【００５０】
操作端末５０００、６０００で、画面１０２、１０３、１０４、１０５のいずれかを指定して、操作ロックボタン５００１、６００１を押すとその画面は操作ロック状態にされ、操作ロックＬＥＤ５００４、６００４に、操作ロックをかけた画面枠と同じ色でＬＥＤを点灯する。１つの操作端末で、複数の画面をロックした場合は、操作ロックＬＥＤで、複数のＬＥＤが点灯する。また、複数の操作端末で、同じ画面を操作ロックすることができる。
【００５１】
多画面表示システム１０００と操作端末５０００、６０００間の通信は、Ｂｌｕｅｔｏｏｔｈ（登録商標）もしくは無線ＬＡＮを使用するとよい。操作端末５０００、６０００は、前記操作端末の機能であれば、携帯電話や携帯情報端末を利用することが可能である。
【００５２】
リモコン７０００による操作は、操作端末５０００、６０００で設定した操作ロック状態にかかわらず、画面変更ができるようにし、リモコン７０００で画面変更をした画面の操作ロック管理記憶２１の操作ロック状態の記録を解除する。これにより、操作端末５０００、６０００がない場合でも、表示部１００の画面１０２、１０３、１０４、１０５の操作ロック状態を解除できる。
【００５３】
音声出力ＬＥＤ１１１には、スピーカ１８で、出力されている音声に対応する画面の画面枠の色と同じ色でＬＥＤを点灯する。
【００５４】
スピーカ１８に出力されている以外の画面の音声を聞きたい場合に、スピーカ１８で、出力されている音声に対応する画面が操作ロックされている場合は、その音声をスピーカ１８に切り替えて出力することはできない。その場合は、操作端末５０００を操作し、音声データを多重分離から通信部２４を介し、操作端末５０００に送る。操作端末５０００には、スピーカ５０１３とイヤフォンジャック５０１４を設け、そこに音声出力する。このときに、音声出力ＬＥＤ５００２に、その音声出力に対応する画面の画面枠と同じ色でＬＥＤ表示する。
【００５５】
表示部１００が、操作ロックされた画面で埋め尽くされて、新たな画面が表示できない場合は、表示したい映像データを多重分離から通信部２４に送り、操作端末５０００の通信部５００７、表示合成部５０１１を介して、表示部５００５に表示する。
【００５６】
かかる構成によれば、前記映像表示装置に表示された画面のうち、１つの画面の切り替えを禁止する操作信号を発信する複数の情報端末と、前記操作信号を受信することにより、前記映像表示装置に表示された画面のうち、前記操作信号で指定された画面の切り替えを禁止することとなり、視聴中の画面で、切り替えを実施したくない画面については、前記情報端末で、前記切り替えを実施したくない画面に対し、画面の切り替えを禁止する操作信号を発信し、前記画面の切り替えを禁止すれば、画面の切り替えを防止することができる。
【００５７】
操作ロック状態した画面の画面枠と同じ色を表示するＬＥＤとを操作端末に設けることにより、操作端末で、どの画面をその操作端末で操作ロック状態にしているか確認できる。また、音声出力ＬＥＤを設けることにより、音声出力している画面がどれか識別することができる。さらに、操作端末に通信部、表示部、スピーカ、イヤフォンジャックを設けることにより、操作ロックにより多画面表示システムの表示部やスピーカに出力できない場合でも、情報端末の出力できる。
【００５８】
実施の形態２においても、実施の形態１のように、それぞれの操作端末に固有の色を割り付けて、画面枠の色も、操作端末の色を表示してもよい。
【００５９】
実施例１に音声出力ＬＥＤを設けて、画面固有の色を画面枠の色に用いれば、どの画面の音声が出力されているかの識別は可能になる。
【００６０】
操作ロックＬＥＤ、音声出力ＬＥＤは、ＬＥＤでなくても、表示部に表示してもよいし、同じ色を表示できるのであれば、他の表示デバイスでもよい。
【産業上の利用可能性】
【００６１】
本発明にかかる多画面表示システムは、各画面のチャンネルや音声切換の操作ロックをかけた操作端末が、どれかがわかり、操作ロックをかけた操作端末以外から、操作ロックを解除されることがないので、他の人から、視聴中の画面のチャンネルや音声切換の変更をされることが防止できるので、多画面、多チューナの多画面表示システムで、１つの多画面表示システムに複数の画面を表示し、複数の視聴者が視聴する場合に、有用である。
【図面の簡単な説明】
【００６２】
【図１】本発明の実施の形態１における多画面表示システム、リモコンを示す構成図
【図２】本発明の実施の形態２における多画面表示システム、リモコン、操作端末を示す構成図
【図３】本発明の実施の形態における操作端末の構成図
【図４】本発明の実施の形態１における操作ロック管理記憶の記憶フォーマットを示す図
【図５】本発明の実施の形態２における操作ロック管理記憶の記憶フォーマットを示す図
【図６】本発明の実施の形態１の切り替えを禁止するリモコン信号を発信したリモコン数に基づき画面の大きさを変更する表示部の図
【図７】本発明のリモコンの方向に画面を開く表示部の図
【図８】本発明の実施の形態１の１つの画面の１つのリモコンについての操作ロック状態にする動作を示すフローチャート
【図９】本発明の実施の形態１の１つの画面の１つのリモコンについての操作ロック状態から解除する動作を示すフローチャート
【図１０】本発明の実施の形態２の他の操作端末からも操作ロック状態にされていない１つの画面の１つの操作端末についての操作ロック状態にする動作を示すフローチャート
【図１１】本発明の実施の形態２の他の操作端末からも操作ロック状態にされていない１つの画面の１つの操作端末についての操作ロック状態から解除する動作を示すフローチャート
【図１２】本発明の実施の形態２の他の操作端末から操作ロック状態にされている１つの画面の１つの操作端末についての操作ロック状態にする動作を示すフローチャート
【図１３】本発明の実施の形態２の他の操作端末から操作ロック状態にされている１つの画面の１つの操作端末についての操作ロック状態から解除する動作を示すフローチャート
【符号の説明】
【００６３】
１、２、３    選局部
４、５、６    ＯＦＤＭ復調部
７、８、９    誤り訂正
１０、１１、１２    多重分離部
１３、１４、１５    ＭＰＥＧデコード部
１６    画像重畳部
１７、５０１２    音声切換部
１８、５０１３    スピーカ
１９、１１６、１１７、１１８、１１９    リモコン受光部
２０、５００８    ＣＰＵ
２１    操作ロック管理記憶
２２、５０１４    イヤフォンジャック
２３、５００３、６００３    イヤフォン
２４、５００７    通信部
２５、５００６    通信用アンテナ
１００、５００５、６００５    表示部
１０２、１０３、１０４、１０５    画面
１０６、１０７、１０８、１１２、１１３    画面枠（実線）
１０９、１１４、１１５、１２０    画面枠（点線）
１１０    チャンネル表示
１１１、５００２、６００２    音声出力ＬＥＤ
２００、３００、４００    放送受信部
１０００    多画面表示システム
２０００    アンテナ
３０００、４０００、７０００    リモコン
５０００、６０００    操作端末
３００１、４００１、５００１、６００１    操作ロックボタン
５００４、６００４    操作ロックＬＥＤ
５００９    操作部
５０１０    記憶部
５０１１    表示合成部
【図１】
2010118813.tif 000003
【図２】
2010118813.tif 000004
【図３】
2010118813.tif 000005
【図４】
2010118813.tif 000006
【図５】
2010118813.tif 000007
【図６】
2010118813.tif 000008
【図７】
2010118813.tif 000009
【図８】
2010118813.tif 000010
【図９】
2010118813.tif 000011
【図１０】
2010118813.tif 000012
【図１１】
2010118813.tif 000013
【図１２】
2010118813.tif 000014
【図１３】
2010118813.tif 000015